(57)【要約】  複数のサービスのうちの１つのサービスに対応する信号の送信及び受信を行う方法及び装置が提供される。この信号は、タイムスライスモードにて複数のバーストの形態で伝送される。送信方法は、複数のバースト中の送信すべき各所与のバースト内にタイムテーブルを格納するステップを有する。このタイムテーブルは、所与のバーストの開始からその後続の複数のサービスに対応する連続したバースト群の開始までの一組の期間値と、該後続の連続したバースト群を該一組の期間値に結び付ける一組のパケット識別子（ＰＩＤ）とを含む。受信方法において、上記信号は、各サービスの各バースト内に格納されて伝送されたタイムテーブルから選択サービスの開始時間を取得することによりザッピングモードにおいて非選択サービスの伝送中にオフに切り替えられる受信器によって受信される。この方法により、ザッピングモードにおいて受信器の電力消費を節減することができる。
2011501888.tif 000002
【特許請求の範囲】
【請求項１】
複数のサービスの中から選択された１つのサービスに対応する信号であり、タイムスライスモードにおいて複数のバーストの形態で伝送される信号、を受信器によって受信する方法であって：
−  第１の選択サービスに対応する第１のバーストを受信する受信ステップであり、該第１のバーストの開始から、その後続の、前記複数のサービスに対応する連続したバースト群の開始までの、一組の期間値を信号伝達するための第１のタイムテーブルが該第１のバースト内に格納されている、受信ステップ；
−  前記第１のバーストを受信した後に前記受信器の電源をオフにするステップ；
−  前記第１の選択サービスから第２の選択サービスへの切替要求が前記受信器によって受信されたときに、該第２の選択サービスに対応する第２のバーストの第１の開始時間を要求時間と比較する比較ステップであり、該第１の開始時間は前記第１のタイムテーブルから取得される、比較ステップ；
−  前記要求時間が前記第１の開始時間より前である場合に、前記第１の開始時間に従って前記受信器の電源をオンにするステップ；
−  前記要求時間が前記第１の開始時間より後である場合に、前記第２のバーストの次の、前記第２の選択サービスに対応する第３のバーストの第２の開始時間を取得するステップであり、該第２の開始時間に従って前記受信器の電源をオンにするステップ；
を有する方法。
【請求項２】
前記後続の連続したバースト群は１つのバーストサイクル内にあり、前記第２の開始時間を取得するステップは更に：
−  前記比較ステップを実行した後に、前記複数のサービスのうちの１つに対応する現在伝送中のバーストを受信するために、前記受信器の電源をオンにするステップであり、該現在伝送中のバースト内に格納された第２のタイムテーブルから前記第２の開始時間を取得するステップ；
−  前記第２の開始時間に従って、前記第３のバーストを受信するまで前記受信器の電源をオフにするステップ；
を有する、請求項１に記載の方法。
【請求項３】
前記後続の連続したバースト群は２つのバーストサイクルを含み、前記取得するステップは、前記第１のタイムテーブルから前記第２の開始時間を取得する、請求項１に記載の方法。
【請求項４】
複数のサービスの中から選択された１つのサービスに対応する信号であり、タイムスライスモードにおいて複数のバーストの形態で伝送される信号、を送信器によって送信する方法であって：
−  前記複数のバースト中の送信すべき各所与のバースト内にタイムテーブルを格納するステップであり、該タイムテーブルは、該所与のバーストの開始から、その後続の、前記複数のサービスに対応する連続したバースト群の開始までの、一組の期間値と、該後続の連続したバースト群を該一組の期間値に結び付ける一組のパケット識別子とを含む、格納するステップ
を有する方法。
【請求項５】
前記格納するステップにおいて、前記タイムテーブルは前記所与のバーストのアプリケーションデータテーブルのパッディング領域内に格納される、請求項４に記載の方法。
【請求項６】
前記格納するステップは、ＰＳＩ／ＳＩ情報のデスクリプタ内に前記タイムテーブルを格納し、前記ＰＳＩ／ＳＩ情報は周期的に信号伝達される、請求項４に記載の方法。
【請求項７】
前記格納するステップは、前記所与のバーストの連続したＭＰＥセクションヘッダ群内で別々に、前記所与のバーストの開始から前記複数のサービス中の同一サービスに対応する次のバーストの開始までの期間を伝達する元のデルタｔ値を置換することによって、前記タイムテーブルの前記一組の期間値を格納する、請求項４に記載の方法。
【請求項８】
前記格納するステップは、前記所与のバースト内の連続したＦＥＣセクションヘッダ群の予備ビット群内に、前記タイムテーブルの前記一組のパケット識別子を格納する、請求項７に記載の方法。
【請求項９】
前記格納するステップは、ＰＳＩ／ＳＩ情報のデスクリプタ内に前記一組のパケット識別子を格納し、前記ＰＳＩ／ＳＩ情報は周期的に信号伝達される、請求項７に記載の方法。
【請求項１０】
前記所与のバースト及びその後続の連続したバースト群は１つのバーストサイクルを形成する、請求項４に記載の方法。
【請求項１１】
前記所与のバースト及びその後続の連続したバースト群は２つの連続したバーストサイクルを形成する、請求項４に記載の方法。
【請求項１２】
複数のサービスの中から選択された１つのサービスに対応する信号であり、タイムスライスモードにおいて複数のバーストの形態で伝送される信号、を受信する受信器であって：
−  第１の選択サービスに対応する第１のバーストを受信する受信ユニットであり、該第１のバーストの開始から、その後続の、前記複数のサービスに対応する連続したバースト群の開始までの、一組の期間値を信号伝達する第１のタイムテーブルを該第１のバーストが格納している、受信ユニット；
−  前記第１のバーストを受信した後に当該受信器の電源をオフにする電力コントローラ；
−  前記第１の選択サービスから第２の選択サービスへの切替要求が当該受信器によって受信されたときに、該第２の選択サービスに対応する第２のバーストの第１の開始時間を要求時間と比較する比較ユニットであり、該第１の開始時間は前記第１のタイムテーブルから取得される、比較ユニット；
を有し、
−  前記要求時間が前記第１の開始時間より前である場合に、前記第１の開始時間に従って、前記電力コントローラによって当該受信器の電源をオンにし；
−  前記要求時間が前記第１の開始時間より後である場合に、前記第２のバーストの次の、前記第２の選択サービスに対応する第３のバーストの第２の開始時間を取得し、該第２の開始時間に従って、前記電力コントローラによって当該受信器の電源をオンにする；
受信器。
【請求項１３】
複数のサービスの中から選択された１つのサービスに対応する信号であり、タイムスライスモードにおいて複数のバーストの形態で伝送される信号、を送信する送信器であって：
−  所与のバーストの開始から、その後続の、前記複数のサービスに対応する連続したバースト群の開始までの、一組の期間値を信号伝達するタイムテーブルを生成するタイムテーブル生成器；
−  前記複数のバースト中の送信すべき各所与のバースト内にタイムテーブルを格納する格納ユニット；
を有する送信器。
【発明の詳細な説明】
【技術分野】
【０００１】
本発明は、デジタルブロードキャスティングシステムに関する。より具体的には、本発明は、デジタルブロードキャスティングシステムにおいてデータの送信及び受信を行う方法及び装置を提供する。
【背景技術】
【０００２】
ＤＶＢ−Ｈ（Digital  Video  Broadcasting−Handheld）規格は、既存の地上波デジタル放送規格ＤＶＢ−Ｔ（Digital  Video  Broadcasting−Terrestrial）に基づく。この規格は、例えば移動電話などの携帯式装置で使用されることになっている。
【０００３】
ＤＶＢ−Ｈ規格はサービスごと（すなわち、チャンネルごと）に時分割多重を実行する。この時分割のため、サービスごとの平均伝送レートは小さいものの、現行の伝送レートは高くなり得る。この時分割に従って符号化されたそれぞれのサービスはタイムスライス又はバーストと呼ばれる。
【０００４】
それぞれのＤＶＢ−Ｈサービスはバースト群の形態で伝送され、それぞれのバーストは複数のサービスからなるグループを表し、且つ所定のバースト長を有する。異なるサービス群が他の期間群にバースト群によって同様に伝送される。この通信システムは、サービスのデータを受信する受信器を有する。受信器は、選択されたサービスを搬送するバーストが伝送されるときにのみオンに切り替えられる。
【０００５】
ユーザによって選択された１つのサービスのバースト群の合間、受信器はオフに切り替えられ、受信された（バッファリングされた）バーストが配信される。バースト群の合間に電源を切ることは移動式装置において相当な量の電力を節減する。選択されたサービスの後続バーストの到着時刻を知るために、デルタｔ法がＤＶＢ−Ｈ規格によって推奨されている。
【０００６】
しかしながら、ユーザが現在受信中のバーストから異なるサービスへの切替（すなわち、別の番組／チャンネルへの切替）を望むとき、受信器はその他のバースト群の到着時刻を知ってはいない。故に、受信器は、期待するバースト群が到来するまで、オンに切り替えられた状態を維持しなければならない。これは、１つのサービスから別のサービスに切り替えるとき（すなわち、“ザッピングモード”）の電力消費を増大させてしまう。
【発明の概要】
【発明が解決しようとする課題】
【０００７】
本発明は、通信システムにおいて、複数のサービスの中から選択されたサービスに対応する信号であり、タイムスライスモードにおいて複数のバーストの形態で伝送される信号、を受信器によって受信する方法を提供することを目的とする。
【０００８】
本発明はまた、通信システムにおいて、複数のサービスの中から選択されたサービスに対応する信号であり、タイムスライスモードにおいて複数のバーストの形態で伝送される信号、を送信器によって送信する方法を提供することを目的とする。
【０００９】
本発明はまた、通信システムにおいてサービスに対応する信号を受信するための受信器を提供することを目的とする。
【００１０】
本発明はまた、通信システムにおいてサービスに対応する信号を送信するための送信器を提供することを目的とする。
【課題を解決するための手段】
【００１１】
上記課題に鑑み、上記受信する方法は：
−  第１の選択サービスに対応する第１のバーストを受信する受信ステップであり、第１のバーストの開始から、その後続の、複数のサービスに対応する連続したバースト群の開始までの、一組の期間値を信号伝達するための第１のタイムテーブルが第１のバースト内に格納されている、受信ステップ；
−  第１のバーストを受信した後に受信器の電源をオフにするステップ；
−  第１の選択サービスから第２の選択サービスへの切替要求が受信器によって受信されたときに、第２の選択サービスに対応する第２のバーストの第１の開始時間を要求時間と比較する比較ステップであり、第１の開始時間は第１のタイムテーブルから取得される、比較ステップ；
−  要求時間が第１の開始時間より前である場合に、第１の開始時間に従って受信器の電源をオンにするステップ；
−  要求時間が第１の開始時間より後である場合に、第２のバーストの次の、第２の選択サービスに対応する第３のバーストの第２の開始時間を取得し、第２の開始時間に従って受信器の電源をオンにするステップ；
を有する。
【００１２】
上記課題に鑑み、上記送信する方法は、複数のバースト中の送信すべき各所与のバースト内にタイムテーブルを格納するステップであり、該タイムテーブルは、該所与のバーストの開始から、その後続の、複数のサービスに対応する連続したバースト群の開始までの、一組の期間値と、該後続の連続したバースト群を該一組の期間値に結び付ける一組のパケット識別子とを含む、格納するステップ、を有する。
【発明の効果】
【００１３】
提案する方法及び装置により、一般的な視聴モードにおいてのみでなくザッピングモードにおいても、受信器の電力が節減される。
【図面の簡単な説明】
【００１４】
【図１】本発明に従った信号受信方法を示すフローチャートである。
【図２】本発明に従った複数のサービスに対応する複数のバーストの一例を示す図である。
【図３】本発明に従ったバーストａ１内に組み込まれた１つのバーストサイクル内の一組の期間値の一例を示す図である。
【図４】本発明に従った第２の開始時間を取得する方法を示すフローチャートである。
【図５】本発明に従ったバーストｍ１内に組み込まれた１つのバーストサイクル内の一組の期間値の一例を示す図である。
【図６】本発明に従った２つのバースト内の一組の期間値を示す図である。
【図７】ＭＰＥ−ＦＥＣフレームの構造を示す図である。
【図８】本発明に従った受信器を示すブロック図である。
【発明を実施するための形態】
【００１５】
図１は、複数のサービスの中から選択された１つのサービスに対応する信号を受信器によって受信する方法のフローチャートを示している。この信号は、タイムスライスモードにおいて複数のバーストの形態で伝送されるものである。当該方法は：
−  第１の選択サービスＡに対応する第１のバーストａ１を受信するステップ１０１であり、第１のバーストａ１には第１のタイムテーブルｔｔ１が格納されており、第１のタイムテーブルは、第１のバーストａ１の開始から、その後続の、前記複数のサービスに対応する連続したバースト群の開始までの、一組の期間値を信号伝達するために設計されている、ステップ１０１；
−  第１のバーストａ１を受信した後に受信器の電源をオフにするステップ１０２；
−  第１の選択サービスＡから第２の選択サービスＫへの切替要求１０３が受信器によって受信されたときに、第２の選択サービスＫに対応する第２のバーストｋ１の第１の開始時間Ｓｋ１を要求時間ｔｑと比較するステップ１０４であり、第１の開始時間Ｓｋ１は第１のタイムテーブルｔｔ１から取得される、ステップ１０４；
−  要求時間ｔｑが第１の開始時間Ｓｋ１より前である場合に、第１の開始時間Ｓｋ１に従って受信器の電源をオンにするステップ１０５；
−  要求時間ｔｑが第１の開始時間Ｓｋ１より後である場合に、第２のバーストｋ１の次の第２の選択サービスに対応する第３のバーストｋ２の第２の開始時間Ｓｋ２を取得１０６し、第２の開始時間Ｓｋ２に従って受信器の電源をオンにするステップ１０７
を有する。
【００１６】
例えば放送システムにおいては、信号はサービス（例えばＴＶ番組など）に関連するデータを搬送する。信号は、ＤＶＢ−Ｈ規格にて、あるいはタイムスライスモードを使用するその他の規格にて送信され且つ受信される。受信器は、例えば、ＴＶ機能を備えたＰＤＡ（携帯情報端末）又は携帯電話とし得る。
【００１７】
ステップ１０１は、第１の選択サービスＡに対応する第１のバーストａ１を受信するために使用される。第１のバーストａ１は、第１のバーストａ１の開始からそれに続く複数のサービスに対応した連続バースト群の開始までの一組の期間値を信号伝達する第１のタイムテーブルｔｔ１を格納している。
【００１８】
バーストａ１を受信した後、受信器の電源をオフにするステップ１０２が続く。背景技術の節で述べたように、タイムスライスモードにおいて、受信器は電力の節減のため、選択されたサービスを搬送するバーストが伝送されるときにのみオンに切り替えられる。選択サービスのバースト群の合間に、受信器はオフに切り替えられ、受信された（バッファリングされた）バーストが配信される。
【００１９】
図２は、複数のサービスに対応する複数のバーストの一例を示しており：
−  バーストａ１及びバーストａ２はサービスＡに関連し；
−  バーストｂ１及びバーストｂ２はサービスＢに関連し；
−  バーストａ１は時間Ｓａ１からＳｂ１までに伝送され；
−  Ｓａ１はバーストａ１が伝送される開始時間であり；
−  Ｓｂ１はバーストａ１が伝送される終了時間であるとともに、バーストａ１の後にバーストｂ１が伝送される開始時間である。
【００２０】
サービスＣ、Ｄ、Ｅ、Ｆ、Ｇ、Ｈ、Ｋ及びＭに対しても同様の定義を与え得る。
【００２１】
ユーザがサービスＡを視聴することを望むとき、ユーザは（例えば、リモートコントローラによって）サービスＡを選択する。受信器は、期間２０１（Ｓａ１からＳｂ１まで）及び期間２０３（Ｓａ２からＳｂ２まで）の間、サービスＡに対応するバーストａ１及びａ２を受信するためにオンに切り替えられる。
【００２２】
そして、２０１と２０３との合間において、受信器は、期間２０２（Ｓｂ１からＳａ２まで）の間、電力を節減するためにオフに切り替えられる。
【００２３】
受信器がバーストａ１及びａ２を受信することができるようになる前、受信器がオンに切り替えられた後に準備時間が必要である。故に、受信器は、その準備時間に従って、受信すべきバーストの開始時間の少々前にオンに切り替えられる。放送システムが異なれば、準備時間も異なる。
【００２４】
以下において、“バーストの開始時間に従って受信器の電源をオンにする”という記載は、バーストの開始時間の準備時間の前に受信器をオンに切り替えることを意味する。
【００２５】
ユーザによって選択されたのと同一のサービスに対応する次のバーストを受信するために受信器を再びオンに切り替えるべき時を決定するため、背景技術の節で述べたように、ＤＶＢ−Ｈ規格によってデルタｔ法が推奨されている。バースト内に組み込まれるデルタｔの値は、このバーストの開始から同一エレメンタリ・ストリーム内のこのバーストの次のバーストまでの時間を通知しようとするものである。同一エレメンタリ・ストリームは同一のサービス（番組）を意味する。伝送路上の如何なる一定の遅延にも影響を受けないデルタｔ情報を維持するため、デルタｔ情報は相対的な情報（例えば、“次のバーストは現在時刻から５５００ｍｓで開始する”）にされる。
【００２６】
バースト内でデルタｔ情報を送達することは、送信器と受信器との間でクロックを同期化することを不要にする。例えばバーストサイズ、バースト持続時間、バースト帯域幅及びオフタイム等のパラメータは、複数のエレメンタリ・ストリーム間及び１つのエレメンタリ・ストリーム内の複数のバースト間で自由に変化し得るので、高い柔軟性が後押しされる。クロックは各バーストによって再始動されるので、受信器は１つのオフタイムについてのみ十分な正確性を支援すればよい。
【００２７】
例えば、図２において、受信器はバーストａ１を受信することによって、バーストａ１の開始時間からバーストａ２の開始時間までの期間を指し示すデルタｔ＿ａ１（２０）を取得する。
【００２８】
通常、受信器はデルタｔ情報に従って、同一サービスに対応する次のバーストが到着する時を知るので、受信器は電力節減のために、次のバーストが到来するまでオフに切り替えられたままにされる。
【００２９】
しかしながら、ユーザがこの選択サービスを視聴したくないとき、ユーザが時間ｔｑに（例えば、サービスＡからサービスＫへの）切替要求１０３を与え、バーストｋ１の開始時間Ｓｋ１を要求時間ｔｑと比較する比較ステップ１０４が実行される。開始時間Ｓｋ１はバーストａ１に記録されたタイムテーブルｔｔ１から得られる。タイムテーブルの詳細については後述する。
【００３０】
例えば、図２において、サービスＡからサービスＫに切り替えるために受信器の状態が時間ｔｑにて切り替えられ、受信器はサービスＫに対応するバーストｋ１のデータを受信する必要があるとする。受信器がバーストｋ１の開始時間Ｓｋ１を知っている場合、受信器は開始時間Ｓｋ１までオフに切り替えられたままであることができる。そうでない場合、受信器は時間ｔｑにてオンに切り替えられ、バーストｋ１のデータを待つことになる。
【００３１】
他のバースト群の開始時間を通知するため、本発明は、各バーストにタイムテーブルを格納することを提案する。各バースト内の各タイムテーブルは、該タイムテーブルを格納している該バーストの開始時間からそれに続く連続バースト群までの一組の期間値を信号伝達するために使用される。バーストからのこれらの期間値の情報から、受信器は他のサービスに対応する他のバーストの開始時間を決定することができる。
【００３２】
図３は、タイムテーブル内に含まれる一連の期間値の一例を示している。例えば、一組の期間値は、参照符号３０、３１、３２、・・・、３９によって表される。
−  ３０は、バーストａ１の開始時間Ｓａ１から、サービスＢに対応する後続バーストｂ１の開始時間Ｓｂ１までの期間の値であり；
−  ３１は、バーストａ１の開始時間から、サービスＣに対応するバーストｃ１の開始時間Ｓｃ１までの期間の値であり；
−  ３２は、バーストａ１の開始時間から、サービスＤに対応するバーストｄ１の開始時間Ｓｄ１までの期間の値である；等々である。
【００３３】
例えば、期間値３１が５ｍｓである場合、これは、バーストａ１の開始時間の５ｍｓ後にバーストｃ１が伝送され始めることを意味する。
【００３４】
この期間値の組から、受信器は他のサービスに対応する後続の他のバースト群の開始時間を知ることができる。故に、受信器は、他のサービスに切り替えるための切替要求を受信したとき、他のサービスに対応する後続の他のバーストを待つために直ちにオンに切り替えられる必要はない。斯くして、受信器がザッピングモードにある場合であっても、電力を節減することが可能である。
【００３５】
以下では、所与のバーストに格納されるべきタイムテーブルの２つの例である表１及び表２を参照する。
【００３６】
表１は、期間値を表す第１欄と、期間値をバースト（そして、結果として、サービス）に結び付けるＰＩＤ（パケット識別子）情報を表す他の欄とを含むタイムテーブルの一例である。
【００３７】
例えば、表１がバーストａ１から取得される場合、表１内の値はバーストａ１からその後続のバーストｂ１、ｃ１、ｄ１、・・・、ｍ１、ａ２までの期間を意味する。受信器が、表１に含まれるＰＩＤ情報によって特定されるバーストｋ１の開始時間を知る必要があるとき、受信器は、バーストａ１の開始時間からバーストｋ１の開始時間までの期間として期間値３５を得ることができ、そしてａ１が受信された時間に基づいて、バーストｋ１が受信される正確な開始時間Ｓｋ１を知ることができる。
【００３８】
【表１】
2011501888.tif 000003
【００３９】
図３に示すように、比較ステップ１０４において、受信器は先ず、バーストａ１に格納されたタイムテーブル（例えば、表１）からの期間値３５に従ってバーストｋ１の開始時間Ｓｋ１を取得する。そして、受信器は比較ステップ１０４を実行し、サービスＫに対応する最も近いバーストｋ１の開始時間が過ぎ去っているか否かを決定する。
【００４０】
その後、比較ステップ１０４の結果に応じて、要求時間ｔｑが開始時間Ｓｋ１より早い場合（例えば、図３において、ｔｑ１はＳｋ１より前）、このことはバーストｋ１の開始時間Ｓｋ１がｔｑ１の過去でないことを意味し、受信器は開始時間Ｓｋ１が到来するまでオフに切り替えられたままであることができる。受信器は、開始時間Ｓｋ１に従ってオンに切り替えられ、バーストｋ１のデータを受信する。
【００４１】
上述のように、電源をオンにする正確な時間は開始時間Ｓｋ１から準備時間を引き去ったものであり、比較ステップ１０４においても同じ理由により、比較される時間Ｓｋ１はバーストの開始時間から準備時間をマイナスしたものにされるべきである。当業者に理解されるように、本発明の記述は、単に本発明の原理を説明するためのものであり、本発明を限定するものと見なされてはならない。
【００４２】
逆に、比較ステップ１０４の結果に従って要求時間ｔｑがバーストｋ１の開始時間Ｓｋ１より遅い場合（例えば、図３において、ｔｑ２はＳｋ１より後）、このことはバーストｋ１を受信する開始時間が既に過ぎ去っていることを意味する。この状況においては、取得ステップ１０６が更に、開始時間Ｓｋ２にあるサービスＫに対応する後続バーストｋ２を得るために必要とされる。バーストｋ２はバーストｋ１後の最も近いバーストである。新たな開始時間Ｓｋ２を取得した後、受信器は開始時間Ｓｋ２に従ってオンに切り替えられる。
【００４３】
本発明の一実施形態によれば、バーストと、タイムテーブル内で定められるその後続の連続したバースト群は、１つのバーストサイクル内である。このタイムテーブルにおいては、或るバーストの開始時間からその後続バーストの開始時間までの期間値は、サービス当たり一度のみ指し示されることになる。例えば、図３及び表１において、全サービス数は１０であるため、タイムテーブル内に１０個の期間値が存在する。各期間値は、バーストａ１の開始時間から、バーストａ１とバーストａ２との間の、バーストａ１に続く別の１つのバーストの開始時間までの期間の値を表す。１０番目の期間値は元々のデルタｔの値と同一である。
【００４４】
図４は、取得ステップのフローチャートを示している。タイムテーブルが１つのバーストサイクル内の期間値のみを含み且つ第１の開始時間Ｓｋ１が要求時間ｔｑより前である場合、取得ステップ１０６は更に、比較ステップ１０４の実行が完了した後に、複数のサービスのうちの１つに対応する現在伝送されているバーストを受信するために受信器の電源をオンにするステップ４０１を有する。例えば、図３において、システムがサービスＭに対応するバーストｍ１を伝送している時間ｔｑ２、これはＳｋ１より後、においてユーザが切替要求を与えるとき、受信器はバーストｍ１を受信するためにオンに切り替えられる。
【００４５】
上述のように、各バーストはタイムテーブルを含んでいる。図５は、バーストｍ１内に組み込まれた一組の期間値を示している。バーストｍ１に格納されたタイムテーブルから、バーストｍ１の開始時間Ｓｍ１からバーストｋ２の開始時間Ｓｋ２までの期間値５８を取得することができ、故に、バーストｋ２の開始時間Ｓｋ２を知ることになる。
【００４６】
バーストｍ１が受信された後、電力を節減するために受信器の電源をオフにするステップ４０２が実行される。図５に示すように、バーストｍ１は時間Ｓｍ１からＳａ２までの間に伝送される。故に、受信器は時間Ｓａ２でオフに切り替えられる。
【００４７】
その後、第２の開始時間Ｓｋ２に従って、第３のバーストｋ２を受信するために受信器の電源をオンにするステップ１０７が実行される。
【００４８】
本発明の他の一実施形態によれば、バーストからその後続の連続バースト群までの期間値は、２つのバーストサイクル内である。
【００４９】
図６は、一組の連続バースト群を２サイクル分の期間値とともに示している。表２は、２サイクル分の期間値を含むタイムテーブルの一例を示している。表２に示すように、このタイムテーブルは２つのバーストサイクル内の期間値を含んでいる。バーストａ１の開始時間から後続バースト群の開始時間までの期間値は、サービス当たり２度指し示されることになる。例えば、表２及び図６において、全サービス数は１０であるため、タイムテーブルは２０個の期間値を含んでいる。
【００５０】
このタイムテーブルに従って、要求時間ｔｑがバーストｋ１の開始時間Ｓｋ１より遅い場合、２つのバーストサイクルが関与する。取得ステップ１０６にて、第２の開始時間Ｓｋ２を、バーストａ１に格納されたタイムテーブルから直接的に取得することができる。このタイムテーブルはまた、第１の開始時間Ｓｋ１を取得することにも使用される。そして、受信器は、送達されるバーストｋ２を受信するために時間Ｓｋ２にてオンに切り替えられる１０７。
【００５１】
例えば、表２において、期間６０７がバーストａ１の開始からバーストｋ２の開始までの期間値である。故に、バーストｋ２の開始時間Ｓｋ２を取得することができる。そのため、受信器は開始時間Ｓｋ２が来るまでオフに切り替えられたままであることが可能である。
【００５２】
【表２】
2011501888.tif 000004
【００５３】
本発明はまた、複数のサービスの中から選択されたサービスに対応する信号を送信器によって送信する方法を提案する。この信号はタイムスライスモードにおいて複数のバーストの形態で送信されるものである。当該方法は、複数のバースト中の各所与のバーストにタイムテーブルを格納するステップを有する。このタイムテーブルは、該所与のバーストの開始から、複数のサービスに対応する後続の連続バースト群の開始までの一組の期間値と、後続の連続バースト群を一組の期間値に結び付ける一組のパケット識別子（ＰＩＤ）とを含むものである。
【００５４】
本発明の他の一態様によれば、タイムテーブルは所与のバーストのアプリケーションデータテーブルの付加（パッディング）領域に格納される。
【００５５】
図７は、ＭＰＥ−ＦＥＣフレームの構造を示している。タイムスライスモードにおいて、各バースト内のデータは、マルチプロトコルカプセル化（multi-protocol  encapsulation；ＭＰＥ）セクション及びフロント順方向誤り訂正（ＦＥＣ）セクションの形態で伝送される。各ＭＰＥ−ＦＥＣフレームはアプリケーションデータテーブルとＲＳデータテーブルとに分割される。アプリケーションデータテーブルは多数のＭＰＥセクションに分割され、ＲＳデータテーブルは多数のＦＥＣセクションに分割される。通常、アプリケーションデータテーブルはＩＰ（インターネットプロトコル）データグラムを含み、詰め物で充たされるアプリケーションデータテーブルの残りの空間はパッディング領域と呼ばれる。パッディング領域は有用なデータ領域でないことを意味する。この実施形態においては、タイムテーブルを格納するためにパッディング領域を使用することを提案する。
【００５６】
例えば、図７において、７０１はＩＰデータグラム内のＭＰＥセクションを表し、７０２はパッディング領域であり、７０３はＲＳデータを有するＦＥＣセクションであり、７０４はパンクチャードＲＳデータ欄である。パッディング領域７０２は有用なデータを含んでいないので、タイムテーブルを格納するために使用することができる。タイムテーブルが何処から格納されるかを受信器に伝達するため、タイムテーブルの前に指示ヘッダを付加すべきである。
【００５７】
サービスの最大数が４０（典型的なサービス数は約１６となり得る）であり、且つ各“期間値”を表現するのに１２ビットを要すると仮定する。また、“ＰＩＤ”情報を搬送するのに１３ビット要する。従って、テーブル当たり全部で１０００ビット（１０００ビット＝４０×（１２ビット＋１３ビット））必要である。最大２メガビットである１つのバーストのサイズと比較して、全オーバヘッドは１０００／２００００００＝０．０５％である。実際には大抵のＤＶＢ−Ｈトランスポートストリームは多数のスタッフィングデータ又はＮＵＬＬパケットを含むので、付加的なタームテーブルはシステムの帯域幅を実効的に低減しない。
【００５８】
本発明の他の一態様によれば、タイムテーブルはＰＳＩ／ＳＩ（program  specific  information／system  information）情報のデスクリプタに格納され、ＰＳＩ／ＳＩ情報が周期的に伝達される。タイムテーブルは、好適な繰り返し率でデータストリーム内のセクションに付加し得る（新たな）ＤＶＢデスクリプタに格納されることができる。好ましくは、それは、ＩＰデータグラムセクションと交互に配置して、選択サービスと同一のＰＩＤを有するエレメンタリ・ストリームに付加される（受信器に必要なＰＩＤフィルタの数を削減するため）。この情報を全てのバーストに対して繰り返さなければならないことを回避するため、更なる最適化として、特別な“馴染み深い”ＰＩＤをこの情報に割り当ててもよい。この“馴染み深い”ＰＩＤは、何らかの方法で監視する必要があるその他のＰＳＩ／ＳＩ情報と組み合わされる。
【００５９】
本発明の他の一態様によれば、タイムテーブル内の期間値の組は、所与のバーストの連続したＭＰＥセクションヘッダ群内で別々に元のデルタｔ値を置換することによって格納される。上述のように、デルタｔ値は、所与のバーストの開始から、複数のサービスのうちの同一サービスに対応する次のバーストの開始までの期間を信号伝達する。そして、デルタｔ値はＭＰＥセクションヘッダ及びＦＥＣセクションヘッダの双方に格納される。それらは一般的にＭＰＥ−ＦＥＣセクションと呼ばれる。
【００６０】
表３は、ＭＰＥセクションヘッダ内でのデルタｔ構文である。表３から、デルタｔは１０ｍｓの分解能で１２ビットで表されることを見て取れる。例えば、デルタｔ値０ｘ００＝３０７２は、次のバーストまでの時間が３０．７２ｓであることを指し示す。
【００６１】
【表３】
2011501888.tif 000005
【００６２】
この実施形態において、期間値の組は、各ＭＰＥセクションヘッダ又はＦＥＣセクションヘッダ内に位置する現在のデルタｔ位置に格納される。ＤＶＢ−Ｈ規格によって推奨される現行のデルタｔ法において既に、デルタｔ情報は極めて冗長である。何故なら、１つのバースト（タイムスライス）は全部で２５５のセクションを有することができ、その各々がデルタｔ情報を担持することになるからである。換言すれば、デルタｔ情報は１つのバースト（タイムスライス）で２５５回も反復的に伝送されることになるからである。
【００６３】
伝送ストリーム（ＴＳ）内に全部でｎ（ｎ＝４０）個のサービス（エレメンタリ・ストリーム）が存在し、最初の２１５（２５５−ｎ）セクションのヘッダが元のデルタｔ情報を配信することが可能であり、残りの４０個のＭＰＥセクションヘッダが４０個の期間値を搬送することが可能にされると仮定する。元のデルタｔ値が何処から繰り返されるかを指し示すために、最初の期間値の位置の前に指示ヘッダが必要である。
【００６４】
また、元のデルタｔ情報が最初の１３５（２１５−２ｎ）又は９５（２１５−３ｎ）セクションのヘッダによって配信され、故に、残りの８０又は１２０個のＭＰＥセクションヘッダが期間値を２度又は３度搬送するようにして、これらの期間値が喪失されないことを確実にすることも可能である。異なる状況で期間値を搬送するためにどれだけの数のＭＰＥセクションが用いられるかは当業者に理解されるであろう。
【００６５】
本発明の他の一態様によれば、一組の期間値が現行のデルタｔの位置に格納される場合、タイムテーブル内の関連するＰＩＤ情報の組を格納することには２つの手法がある。
【００６６】
第１の手法は、関連するＰＩＤ情報をＦＥＣセクションヘッダの予備（reserved）ビット群に格納するものである。
【００６７】
表４は、ＤＶＢ−Ｈ規格に従ったＦＥＣセクションヘッダの定義を示している。ＦＥＣセクションヘッダには幾つかの予備ビットが存在する。将来的な使用のための全部で１７個の予備ビット（表４参照）を、ＰＩＤ（１３ビット）の情報を格納するために使用することができる。幾つかの指示ヘッダを用いて、ＰＩＤ情報を各期間値に結び付けることが可能である。このようにすることで、タイムテーブルを格納するためのオーバヘッドは全く存在しないことになる。
【００６８】
【表４】
2011501888.tif 000006
【００６９】
関連するＰＩＤ情報を格納する第２の手法は、それをＰＳＩ／ＳＩ情報のデスクリプタに格納するものである。
【００７０】
一部の例では、ＦＥＣ（ＲＳデータ輸送）が用いられない場合、関連する１３ビットのＰＩＤ情報をＰＳＩ／ＳＩ情報のデスクリプタに格納することができる。上述のように、ＰＳＩ／ＳＩ情報は周期的に伝達される。
【００７１】
また、タイムテーブルのサイズを低減するため、ルックアップテーブルによるマッピングを用いて、期間値及びＰＩＤ情報を圧縮することができる。
【００７２】
本発明の他の一態様によれば、タイムテーブルをバースト内に格納するとき、該バースト及びその後続の連続バースト群は１つのバーストサイクルを形成する。その他全てのバーストの開始時間を知るため、送信器はバーストサイクル全体の期間値を格納するように適応される。例えば、表１は、１つのバーストサイクルの期間値群を有するタイムテープルである。
【００７３】
本発明の他の一態様によれば、タイムテーブルをバースト内に格納するとき、該バースト及びその後続の連続バースト群は２つの連続したバーストサイクルを形成する。例えば、表２は、２つのバーストサイクルの期間値群を有するタイムテープルである。
【００７４】
本発明はまた、複数のサービスの中から選択されたサービスに対応する信号を受信する受信器を提案する。この信号は、タイムスライスモードにおいて複数のバーストの形態で伝送されるものであり、受信器は、データを受信する受信ユニットと、オン又はオフに切り替えられる受信器を制御する電力コントローラと、バースト群の開始時間を切替要求時間と比較する比較ユニットとを有する。
【００７５】
図８は、本発明に従った受信器の機能モジュールを示すブロック図である。受信器は、第１の選択サービスに対応するバーストを受信する受信ユニット８０１を有し、該バーストは、第１の選択バーストの開始から複数のサービスに対応する後続の連続バースト群の開始までの一組の期間値を信号伝達するタイムテーブルを格納している。バーストを受信することと予め格納されたタイムテーブルとの詳細については既に上述した。
【００７６】
受信器はまた、所定の基準に従って受信器の電源のオン及びオフを行う電力コントローラ８０２を有する。上述のように、受信器は、選択サービスに対応するバーストを受信するためにオンに切り替えられ、選択サービスに対応する意図したバーストを受信した後、電力の節減のためにオフに切り替えられる。また、電力コントローラは、受信器が切替要求を受信したとき、所定の基準に従ってオン又はオフに切り替えられるように受信器を制御する。
【００７７】
受信器はまた、サービス切替要求を受信した時間を、意図される切替サービスのバーストの開始時間と比較する比較ユニット８０３を有する。例えば、ユーザがサービスＡを視聴しており、時間ｔｑに、ユーザがサービスＫに切り替えるための要求を与える。比較ユニットは、時間ｔｑと、意図される切替サービスＫに対応するバーストｋ１の開始時間Ｓｋ１とを比較するように適応される。上述のように、第１の開始時間Ｓｋ１は、第１の選択サービスに対応するバースト内に格納されたタイムテーブルから取得される。
【００７８】
比較ユニット８０３によって実行された比較の結果に従って、２つの状況が起こり得る。
【００７９】
第１の状況：  要求時間ｔｑが第１の開始時間Ｓｋ１より前である場合、受信器は電力コントローラによって、第１の開始時間Ｓｋ１に従ってオンに切り替えられる。
【００８０】
第２の状況：  要求時間ｔｑが第１の開始時間Ｓｋ１より後である場合、受信器は、第２の選択サービスＫ（意図される切替サービス）に対応するバーストｋ１に続くバーストｋ２の第２の開始時間Ｓｋ２を取得する必要があり、その後、受信器は電力コントローラによって、第２の開始時間Ｓｋ２に従ってオンに切り替えられる。
【００８１】
これら２つの状況については、上述の方法のステップ１０５、１０６及び１０７にて既に詳細に説明した。故に、ここでは更なる説明は行わない。
【００８２】
本発明はまた、複数のサービスの中から選択されたサービスに対応する信号を送信する送信器（図示せず）を提案する。この信号は、タイムスライスモードにおいて複数のバーストの形態で送信されるものである。送信器は、所与のバーストの開始から複数のサービスに対応する後続の連続バースト群の開始までの一組の期間値を信号伝達するタイムテーブルを生成するタイムテーブル生成器と、複数のバーストのうちの送信される各バースト内にタイムテーブルを格納するための格納ユニットとを有する。タイムテーブル生成器は、ソフトウェア、ハードウェア又はファームウェアとし得る。タイムテーブルをバースト内に格納する手法については既に提示した。故に、ここでは更なる説明は行わない。
【００８３】
ハードウェア若しくはソフトウェア、又はそれら双方によって機能を実装する手法は数多く存在する。この点において、図面は非常に概略的なものであり、各図は本発明の考え得る１つの実施形態を表しているに過ぎない。故に、図が異なる機能を異なるブロックとして示しているとしても、このことは決して、単一のハードウェア又はソフトウェア品目が複数の機能を実行することを排除するものではない。また、ハードウェア若しくはソフトウェア又はそれら双方の複数の品目のアセンブリが１つの機能を実行することも排除されない。
【００８４】
以上の言及は、図面を参照しての詳細な説明は本発明を限定しているのではなく例示していることを明らかにするものである。添付の請求項の範囲に入る数多くの改変が存在する。請求項中の如何なる参照符号も請求項を限定するものと解釈されるべきでない。用語“有する”は、請求項中に列挙された要素又はステップ以外の要素又はステップの存在を排除するものではない。要素又はステップの前に置かれた用語“或る”（“ａ”又は“ａｎ”）は、そのような要素又はステップが複数存在することを排除するものではない。
【図１】
2011501888.tif 000007
【図２】
2011501888.tif 000008
【図３】
2011501888.tif 000009
【図４】
2011501888.tif 000010
【図５】
2011501888.tif 000011
【図６】
2011501888.tif 000012
【図７】
2011501888.tif 000013
【図８】
2011501888.tif 000014
【国際調査報告】
2011501888.tif 000015
2011501888.tif 000016